(57)【要約】【課題】  携帯型電子装置にコンピュータのデータまたはプログラムを送るための、簡単かつ低価格で、ユーザ及びプロバイダにとって使い勝手の良い可動型装置及び方法を提供する。【解決手段】  本発明の可動型装置は、携帯型電子装置のインタフェースと対応し、かつ、少なくとも１つの入力を検出するインタフェース手段と、携帯型電子装置のためのデータまたはプログラムを記憶するメモリ手段と、インタフェース手段の入力に応答する制御手段と、制御手段からの入力に基づいて、前記インタフェース手段を介して、少なくとも一部のデータまたはプログラムを送るようになっているデータ通信手段とを備えている。また、コンピュータのデータまたはプログラムを携帯型電子装置へ送る可動型装置を提供する方法は、本発明による可動型装置の種々の手段の機能を実行するステップを含んでいる。【選択図】        図１
2007518185.tif 000002
【特許請求の範囲】
【請求項１】
携帯型電子装置にコンピュータのデータまたはプログラムを送る可動型装置であって、前記データまたはプログラムは、前記携帯型電子装置の標準的な情報またはサービスとは異なる情報またはサービスを提供するように、前記携帯型電子装置を動作させるようになっており、前記可動型装置は、
少なくとも機械的、電気的、またはワイヤレスインタフェースであり、標準的なメモリカードインタフェースとは異なり、かつ、少なくとも１つの入力を検出するインタフェース手段及び携帯型電子装置のデータ通信インタフェースと、
携帯型電子装置により用いられるデータまたはプログラムを記憶する第１のプログラム可能な第１のメモリ手段と、
インタフェース手段と通信し、インタフェース手段の少なくとも１つの入力、または別の入力手段からの入力に基づいて、前記データまたはプログラムを処理するようになっている制御手段と、
前記処理と関連する前記制御手段からの入力に基づいて、前記制御手段と通信し、前記インタフェース手段へ少なくとも一部の前記データまたはプログラムを送るようになっているデータ通信手段とを備えている可動型装置。
【請求項２】
前記第１のメモリ手段の使用状態の情報を示すために、前記制御手段と通信するインジケータ手段を備えている、請求項１記載の装置。
【請求項３】
使用状態の情報を記憶する第２のメモリ手段を備えている、請求項１または２記載の装置。
【請求項４】
第２のメモリ手段は、前記第１のメモリ手段の一部である、請求項３記載の装置。
【請求項５】
制御手段は、前記使用状態の情報に基づいて、前記第１のメモリ手段から前記インタフェース手段への少なくとも一部のデータ、またはプログラムの通信を制限するようになっている、請求項３または４記載の可動型装置。
【請求項６】
制御手段は、前記使用状態の情報に基づいて、前記第１のメモリ手段を再プログラムするようになっている、請求項３または４記載の装置。
【請求項７】
前記再プログラムは、前記データまたはプログラムの少なくとも一部を削除するか、または、前記データまたはプログラムの少なくとも一部へのアクセスを制限するために、前記第１のメモリ手段のアクセスを再プログラムすることを含んでいる、請求項６記載の装置。
【請求項８】
前記使用状態の情報は、
前記インタフェース手段へ送られる前記データまたはプログラムの少なくとも一部の形式と、
前記データまたはプログラムの少なくとも一部が前記インタフェース手段へ送られた回数と、
一日あたりの少なくとも１回の使用時間または動作期間とのうちの少なくとも１つを含んでいる、請求項３〜７のいずれか１つに記載の装置。
【請求項９】
前記データまたはプログラムの種類を検出する手段を備え、制御手段は、前記データまたはプログラムの種類に応答するようになっている、請求項１〜８のいずれか１つに記載の装置。
【請求項１０】
前記データまたはプログラムの種類は、携帯型電子装置のインストラクション、ゲームプログラム、イメージ、可聴信号を発生するためのデータまたはインストラクション、ダイアルインストラクション、安全キー、クレジット番号、アカウント番号、パスワード、データ処理手順、データ通信手順、データ変換手順、暗号化及び解読手順のうちの少なくとも１つである、請求項９記載の装置。
【請求項１１】
制御手段は、プログラム可能であり、前記インタフェース手段を介して受け取った制御インストラクションに応答する、請求項１〜１０のいずれか１つに記載の装置。
【請求項１２】
前記インタフェース手段を介して受け取られた第１の情報を記憶するために、前記制御手段と通信する第３のメモリ手段を備えている、請求項１〜１１のいずれか１つに記載の装置。
【請求項１３】
第３のメモリ手段は、前記第１のメモリ手段の一部である、請求項１２記載の装置。
【請求項１４】
制御手段は、記憶された前記第１の情報と、前記第１の情報とは異なり、前記インタフェース手段を介して受け取った第２の情報とに基づいて、前記第１のメモリ手段から前記インタフェース手段への少なくとも一部の前記データまたはプログラムの通信を制限するようになっている、請求項１２または１３記載の装置。
【請求項１５】
制御手段は、記憶された前記第１の情報と、前記インタフェース手段を介して受け取った第２の情報とに基づいて、前記第１のメモリ手段を再プログラムするようになっている、請求項１２記載の装置。
【請求項１６】
前記再プログラムは、前記データまたはプログラムの少なくとも一部を削除すること、または、前記データまたはプログラムの少なくとも一部へのアクセスを制限するために、前記第１のメモリ手段のアクセスを再プログラムすることを含んでいる、請求項１５記載の装置。
【請求項１７】
前記第１の情報は、前記携帯型電子装置の第１の識別子を含み、前記第２の情報は、前記携帯型電子装置の他の識別子を含んでいる、請求項１２〜１６のいずれか１つに記載の装置。
【請求項１８】
前記制御手段は、前記インタフェース手段を介して、前記携帯型電子装置、またはその動作に関するコンフィギュレーション情報、及びオペレーショナル情報の少なくとも１つを、前記携帯型電子装置に要求するか、または前記携帯型電子装置から受け取るようになっている、請求項１〜１７のいずれか１つに記載の装置。
【請求項１９】
前記制御手段は、コンフィギュレーション情報またはオペレーショナル情報の少なくとも一方に基づいて、前記携帯型電子装置への少なくとも一部のデータまたはプログラムの通信を、選択的に制御するようになっている、請求項１８記載の装置。
【請求項２０】
前記コンフィギュレーション情報またはオペレーショナル情報の少なくとも一方は、携帯型電子装置の種類、モデル、地理的位置、動作状態、外部通信の種類、外部通信パラメータ、外部通信契約の種類、外部通信プロバイダのうちの少なくとも１つの情報を含んでいる、請求項１８または１９に記載の装置。
【請求項２１】
前記携帯型電子装置は、携帯電話、個人用デジタル補助装置、または携帯型パーソナルコンピュータである、請求項１〜２０のいずれか１つに記載の装置。
【請求項２２】
前記携帯型電子装置は、携帯型電子装置の種類、モデル、地理的位置、動作状態、外部通信の種類、外部通信パラメータ、外部通信契約の種類、外部通信プロバイダのうちの少なくとも１つの情報を有しており、前記情報は、前記インタフェース手段と対応する前記携帯型電子装置のインタフェース手段を介して、通信可能となっている、請求項２１記載の装置。
【請求項２３】
前記情報の少なくとも１つは、携帯電話のＩＭＥＩである、請求項２２記載の装置。
【請求項２４】
携帯型電子装置にコンピュータのデータまたはプログラムを送る可動型装置を提供する方法であって、前記データまたはプログラムは、前記携帯型電子装置の標準的な情報またはサービスとは異なる情報またはサービスを提供するように、前記携帯型電子装置を動作させるようになっており、前記方法は、
少なくとも機械的、電気的、またはワイヤレスインタフェースであり、標準的なメモリカードインタフェースとは異なり、かつ、少なくとも１つの入力を検出するインタフェース手段及び携帯型電子装置のデータ通信インタフェースを設け、
携帯型電子装置により用いられるデータまたはプログラムを記憶するプログラム可能な第１のメモリ手段を設け、
インタフェース手段と通信し、インタフェース手段の少なくとも１つの入力または別の入力手段からの入力に基づいて、前記データまたはプログラムを処理する制御手段を設け、
前記処理と関連する前記制御手段からの入力に基づいて、前記制御手段の制御下で、少なくとも一部の前記データまたはプログラムを前記インタフェース手段へ送り、
第２のメモリ手段を設け、可動型装置に関する使用状態の情報を前記第２のメモリ手段に記憶させ、
前記第１のメモリ手段の使用状態の情報を示すために、前記制御手段と通信するインジケータ手段を設け、
前記可動型装置の使用状態の情報を表示するために、前記インジケータ手段を動作させるようになっている方法。
【請求項２５】
第２のメモリ手段は、前記第１のメモリ手段の一部である、請求項２４記載の方法。
【請求項２６】
前記使用状態の情報に基づいて、前記第１のメモリ手段から、前記インタフェース手段への少なくとも一部の前記データまたはプログラムの通信を制限する、請求項２４または２５記載の方法。
【請求項２７】
前記使用状態の情報に基づいて、前記第１のメモリ手段を再プログラムする、請求項２４〜２６のいずれか１つに記載の方法。
【請求項２８】
前記再プログラムは、前記データまたはプログラムの少なくとも一部を削除すること、または、前記データまたはプログラムの少なくとも一部へのアクセスを制限するために、前記第１のメモリ手段のアクセスを再プログラムすることを含んでいる、請求項２７記載の方法。
【請求項２９】
前記使用状態の情報は、
前記インタフェース手段へ送られる前記データまたはプログラムの少なくとも一部の形式と、
前記データまたはプログラムの少なくとも一部が、前記インタフェース手段へ送られた回数と、
一日あたりの少なくとも１回の使用時間、または動作期間とのうちの少なくとも１つを含んでいる、請求項２４〜２８のいずれか１つに記載の方法。
【請求項３０】
前記インタフェース手段を介して受け取られた第１の情報を記憶するために、前記制御手段と通信する第３のメモリ手段を設け、
記憶された前記第１の情報と、前記第１の情報とは異なり、前記インタフェース手段を介して受け取った第２の情報とに基づいて、前記第１のメモリ手段から前記インタフェース手段への少なくとも一部の前記データ、またはプログラムの通信を制限するようになっている、請求項２４〜２７のいずれか１つに記載の方法。
【請求項３１】
記憶された前記第１の情報、及び前記インタフェース手段を介して受け取られた第２の情報に基づいて、前記第１のメモリ手段を再プログラムするようになっている、請求項３０記載の方法。
【請求項３２】
前記再プログラムは、前記データまたはプログラムの少なくとも一部を削除すること、または、前記データまたはプログラムの少なくとも一部へのアクセスを制限するために、前記第１のメモリ手段のアクセスを再プログラムすることを含んでいる、請求項３１記載の方法。
【請求項３３】
前記第１の情報は、前記携帯型電子装置の第１の識別子を含み、前記第２の情報は、前記携帯型電子装置の他の識別子を含んでいる、請求項３０〜３２のいずれか１つに記載の方法。
【請求項３４】
前記インタフェース手段を介して、前記携帯型電子装置またはその動作に関するコンフィギュレーション情報及びオペレーショナル情報の少なくとも１つを、前記携帯型電子装置に要求する、または前記携帯型電子装置から受け取るようになっている、請求項２４〜３３のいずれか１つに記載の方法。
【請求項３５】
前記コンフィギュレーション情報及びオペレーショナル情報の少なくとも一方に基づいて、前記携帯型電子装置への少なくとも一部の前記データまたはプログラムの通信を選択的に制御する、請求項３４記載の方法。
【請求項３６】
前記コンフィギュレーション情報及びオペレーショナル情報の少なくとも一方は、携帯型電子装置の種類、モデル、地理的位置、動作状態、外部通信の種類、外部通信パラメータ、外部通信契約の種類、外部通信プロバイダのうちの少なくとも１つの情報を含んでいる、請求項３５記載の方法。
【請求項３７】
前記携帯型電子装置は、携帯電話、個人用デジタル補助装置、または携帯型パーソナルコンピュータである、請求項２４〜３６のいずれか１つに記載の方法。
【請求項３８】
前記携帯型電子装置は、携帯型電子装置の種類、モデル、地理的位置、動作状態、外部通信の種類、外部通信パラメータ、外部通信契約の種類、外部通信プロバイダのうちの少なくとも１つの情報を有しており、前記情報は、前記インタフェース手段と対応する前記携帯型電子装置のインタフェース手段を介して通信可能となっている、請求項３７記載の方法。
【請求項３９】
前記電子情報の少なくとも１つは、携帯電話のＩＭＥＩである、請求項３８記載の方法。
【発明の詳細な説明】
【技術分野】
【０００１】
本発明は、可動型の電子技術分野に関し、特に、データプロセッサを有する携帯型電子装置に、コンピュータのデータまたはプログラムを送る可動型装置及び方法に関する。
【背景技術】
【０００２】
現在、携帯電話、個人用デジタル補助装置（ＰＤＡ）、携帯型パーソナルコンピュータ（ＰＰＣ）、衛星利用測位システム（ＧＰＳ）や長距離航空航法装置（ＬＯＲＡＮ）用の携帯型航法受信機、無線式高度遠隔制御装置及び照明装置のような携帯型電子装置は、データプロセッサと、データプロセッサで実行され、装置の動作を制御するアプリケーションプログラムとを含んでいる。
【０００３】
このような装置の多くは、装置を動作させたり、装置の動作パラメータを入力または変更したりする時に用いられる種々のインタフェースと、装置の通常の機能を超えた追加的なサービス及び能力を、ユーザに提供するために、データプロセッサで実行される追加的なコンピュータプログラムを、装置にダウンロードしうる拡張メモリとを備えている。
【０００４】
このような装置に、データ、コマンド、パラメータまたはプログラムを、入力したり転送したりするには、ユーザが、キーボードを介して手で入力したり、信号ボタンを押して、リモートサーバから、光学または無線周波数のネットワークを介して、無線によりダウンロードしたり、さらに、音声コマンドを入力したりするように、常に改善されてきた。
【０００５】
現在の技術は進歩しているが、ユーザが、データやプログラムを実用的かつ商業的に携帯型電子装置へ送ったり、データやプログラムを提供したりするには、多くの問題が残っている。
【０００６】
携帯電話やＰＤＡのような携帯型電子装置の現在の典型的な例では、追加的なデータやプログラムは、サーバへのネットワーク接続を確立し、サーバへロギング処理を実行し、装置により受信されるべきデータやプログラムを、選択及び特定することにより、装置への転送処理が開始され、かつ完了する。次に、サーバに対するログオフ処理、及びネットワーク切断処理が実行される。
【０００７】
他の例では、上述した携帯電話やＰＤＡには、標準的なメモリカードにより、追加的なデータやプログラムが提供されるようになっている。メモリカードは、携帯型電子装置に設けられた標準的なメモリカードコネクタインタフェースに接続されており、ユーザは、メモリカードのコンテンツを見ることにより、興味のあるデータやプログラムを選択し、携帯型電子装置にコピーするための処理を開始する。
【０００８】
後でわかるように、携帯型電子装置に追加的なデータや機能を提供する現在の構造及び方法では、装置に追加的なデータやプログラムを容易に転送するために、インタフェースを追加したり、標準的で簡単な構造の装置の能力を超えた処理を追加する必要がある。
また、現在の解決手段及び方法では、ユーザの作業が面倒になるとともに、使用及び配布を制御または保護する追加的なデータやプログラムへのアクセスが、プロバイダによりある程度制限されてしまう。
【発明の開示】
【発明が解決しようとする課題】
【０００９】
本発明によると、より簡単で、低価格であり、ユーザ及びプロバイダにとって使い勝手の良い解決手段及び方法が提供される。本発明による可動型装置は、独立請求項１に記載されているように、コンピュータのデータやプログラムを携帯型電子装置へ送るものであり、また、コンピュータのデータやプログラムを、携帯型コンピュータ装置へ送る可動型装置を提供するための本発明による方法は、独立請求項２４に記載されているようにして達成される。
【００１０】
本発明の可動型装置の他の利点は、従属請求項２〜２３に記載してある通りである。
【００１１】
本発明による方法の他の利点は、従属請求項２４〜３９に記載してある通りである。
【課題を解決するための手段】
【００１２】
本発明の可動型装置は、携帯型電子装置にコンピュータのデータまたはプログラムを送る可動型装置であって、前記データまたはプログラムは、前記携帯型電子装置の標準的な情報またはサービスとは異なる情報またはサービスを提供するように、前記携帯型電子装置を動作させるようになっており、前記可動型装置は、少なくとも機械的、電気的、またはワイヤレスインタフェースであり、標準的なメモリカードインタフェースとは異なり、かつ、少なくとも１つの入力を検出するインタフェース手段及び携帯型電子装置のデータ通信インタフェースと、携帯型電子装置により用いられるデータまたはプログラムを記憶する第１のプログラム可能な第１のメモリ手段と、インタフェース手段と通信し、インタフェース手段の少なくとも１つの入力または別の入力手段からの入力に基づいて、前記データまたはプログラムを処理するようになっている制御手段と、前記処理と関連する前記制御手段からの入力に基づいて、前記制御手段と通信し、前記インタフェース手段へ少なくとも一部の前記データまたはプログラムを送るようになっているデータ通信手段とを備えている。
【００１３】
また、本発明の方法は、携帯型電子装置にコンピュータのデータまたはプログラムを送る可動型装置を設ける方法であって、前記データまたはプログラムは、前記携帯型電子装置の標準的な情報またはサービスとは異なる情報またはサービスを提供するように、前記携帯型電子装置を動作させるようになっており、かつこの方法は、
少なくとも機械的、電気的、またはワイヤレスインタフェースであり、標準的なメモリカードインタフェースとは異なり、かつ、少なくとも１つの入力を検出するインタフェース手段及び携帯型電子装置のデータ通信インタフェースを設け、携帯型電子装置により用いられるデータまたはプログラムを記憶するプログラム可能な第１のメモリ手段を設け、インタフェース手段と通信し、インタフェース手段の少なくとも１つの入力または別の入力手段からの入力に基づいて、前記データまたはプログラムを処理する制御手段を設け、前記処理と関連する前記制御手段からの入力に基づいて、前記制御手段の制御下で、少なくとも一部の前記データまたはプログラムを前記インタフェース手段へ送り、第２のメモリ手段を設け、可動型装置に関する使用状態の情報を前記第２のメモリ手段に記憶させ、前記第１のメモリ手段の使用状態の情報を示すために、前記制御手段と通信するインジケータ手段を設け、前記可動型装置の使用状態の情報を表示するために、前記インジケータ手段を動作させるようになっている方法である。
【００１４】
次に、本発明の非限定的な実施例を、図面を用いて詳細に説明する。
【発明を実施するための最良の形態】
【００１５】
本発明の第１の実施例において、可動型装置（１００）は、プログラム可能なメモリ（１２０）と、内蔵型ユニットであって、内蔵型ユニットの一部であるインタフェースコネクタに接続されたマイクロコントローラ（１１０）とを備えている。このインタフェースコネクタは、例えば、携帯電話の標準的なインタフェースコネクタのような携帯型電子装置の通常のインタフェースコネクタに接続されるものである。
メモリ（１２０）は、マイクロコントローラ（１１０）を動作させるプログラム部と、携帯型電子装置のメモリにコピーされるデータやプログラムを記憶する記憶部とを備えている。
【００１６】
可動型装置（１００）の電子素子には、図１に示すように、３．６Ｖの電圧が、携帯型電子装置（２００）の電源から給電されている。本発明のある実施例では、可動型装置（１００）には、電源を設ける必要はないが、インタフェースコネクタを介して給電する代わりに、一次電池や充電式電池を選択的に設けることもある。
【００１７】
図１に示す回路図において、可動型装置（１００）の境界線は、電気的なインタフェース（１３０）を示しており、データを送受信するラインを含んでいる。例えば、携帯電話である携帯型電子装置（２００）の能力に基づいて、携帯型電子装置（２００）からのデータストリームが、可動型装置（１００）の動作に必要ない場合には、受信ライン（１３１）は省かれる。
【００１８】
図１の実施例において、可動型装置（１００）は、マイクロコントローラ（１１０）、メモリ（１２０）、スタートスイッチ（１４０）、及びマイクロコントローラ（１１０）とメモリ（１２０）用のクロックタイミング発生器として動作するオシレータ（１６０）を備えている。
可動型装置（１００）のマイクロコントローラ（１１０）は、マイクロコントローラ（１１０）の内部メモリ、またはメモリ（１２０）を制御するメモリ制御入力端子（１５０）を選択的に備えている。
【００１９】
次に、メモリ制御入力端子（１５０）の詳細な使用方法及び目的について説明する。
【００２０】
図１の実施例に示す可動型装置（１００）を動作させるには、ユーザは、可動型装置（１００）を携帯型電子装置（２００）に接続した後、スタートスイッチ（１４０）を押し、メモリ（１２０）に記憶されたプログラムに基づいて、マイクロコントローラ（１１０）を作動させる。
【００２１】
本発明の簡単な実施例において、マイクロコントローラ（１１０）を動作させるプログラムにより、携帯型電子装置（２００）のプロセッサに可動型装置（１００）の存在を認識させるシーケンスが開始され、メモリ（１２０）に記憶されたデータまたはプログラムを、インタフェース（１３０）及び携帯型電子装置（２００）のインタフェース（２１０）を介して転送するシーケンスが実行される。転送が完了したことを移動型電子装置（２００）のプロセッサに知らせることにより、シーケンスは完了する。
【００２２】
転送の完了を知らせる際に、メモリ（１２０）に記憶された動作プログラムに基づいて動作するマイクロコントローラ（１１０）は、携帯型電子装置（２００）へインストラクションを送り、携帯型電子装置（２００）のプロセッサが転送されたプログラムを処理する状態、または転送されたデータを使用する状態であることを確認する。
一例として、データは、携帯型電子装置（２００）のディスプレイに表示されるロゴや、電話がかかってきたことをユーザに知らせる再生音である。
本発明の可動型装置（１００）により転送されるプログラムの一例は、携帯型電子装置（２００）のプロセッサにより実行される新規のコンピュータゲームプログラムである。
【００２３】
スタートスイッチ（１４０）の代わりに、本発明の可動型装置（１００）のマイクロコントローラ（１１０）に、本発明による可動型装置（１００）に印加される電圧をモニタするモニタ端子（１７０）を設けてもよい。モニタ端子（１７０）における適切な電圧の検出により、マイクロコントローラ（１１０）は、メモリ（１２０）に記憶された動作プログラムを開始したり、マイクロコントローラ（１１０）自体の内部メモリにプログラムされて記憶された動作プログラムを開始する。
モニタ端子（１７０）において適切な電圧が検出されると、本発明のある実施例では、図２に示すような処理（３００）が開始される。
【００２４】
本発明の１つの特徴として、本発明の可動型装置（１００）は、制御手段であるマイクロコントローラ（１１０）と通信し、メモリ（１２０）の使用状態を示すインジケータ手段を備えている。メモリ（１２０）の使用状態には、インタフェース（１３０）を介して携帯型電子装置（２００）へ送られたデータまたはプログラムの少なくとも一部の形式、メモリ（１２０）に記憶されたデータまたはプログラムの少なくとも一部が、インタフェース（１３０）を介して送られた回数、一日における少なくとも１回あたりの使用時間、または動作期間を含んでいる。
【００２５】
可動型装置（１００）の使用状態をモニタするために、マイクロコントローラ（１１０）の動作プログラムの一部は、使用状態をモニタし、所定の基準状態と比較し、使用状態の情報、及び予めプログラムされた基準状態の情報に基づいて、予めプログラムされた動作を開始する。
【００２６】
本発明のある実施例では、マイクロコントローラ（１１０）は、動作パラメータまたは動作プログラムを変更することにより、または、メモリ（１２０）やメモリ（１２０）と関連する回路へのインストラクションにより、メモリ（１２０）のコンテンツの一部が、インタフェース（１３０）を介して転送されるように、アクセス制限を促進する。
【００２７】
マイクロコントローラ（１１０）の動作プログラムは、可動型装置（１００）の記憶された使用レベルに基づいて、メモリ（１２０）のコンテンツの少なくとも一部を、呼び出すか、または削除するインストラクションを発生したり、メモリ（１２０）と関連するマイクロコントローラ（１１０）を、恒久的または半恒久的に再プログラムまたは修正するインストラクションを含んでいる。それにより、メモリ（１２０）の少なくとも一部のコンテンツに対するアクセスが制限される。
【００２８】
本発明のある実施例では、限定版のコンピュータゲームを記憶したメモリ（１２０）が含まれており、１回限りの使用ライセンスを購入した可動型装置（１００）のユーザは、インタフェース（１３０）を介して、プログラムを１回だけ転送すると、メモリ（１２０）から転送されたプログラムを再び転送しようとしても、そのことは阻止される。
【００２９】
本発明の他の実施例において、メモリ（１２０）に含まれるデータは、リモートサーバへの接続を確立するように特定番号をダイアルさせるための、携帯型電子装置（２００）のプロセッサへのインストラクションと、安全キーまたはパスワードのデータとを含んでいる。携帯型電子装置（２００）が、可動型装置（１００）から送られた安全キーまたはパスワードをサーバに示すと、サーバは、移動型電子装置（２００）へデータまたはプログラムを転送可能とする。
【００３０】
また、本発明のある実施例では、インタフェース（１３０）を介して安全キーまたはパスワードの転送が成功すると、可動型装置（１００）は、安全キーまたはパスワードへのアクセスを制限する。
【００３１】
安全上の要求をさらに高めるために、本発明のある実施例では、可動型装置（１００）は、メモリ（１２０）及びマイクロコントローラ（１１０）を備えている。マイクロコントローラ（１１０）は、安全キーまたはパスワードを、暗号化または解読し、サーバまたはその他の装置から、移動型電子装置（２００）により受け取られるデータまたはプログラムを、暗号化または解読する安全処理を実行するようになっている。
【００３２】
本発明の他の特徴として、本発明の可動型装置（１００）は、携帯型電子装置（２００）からの情報を受け取って記憶するメモリを備えている。
【００３３】
本発明の好ましい実施例において、可動型装置（１００）は、第３のメモリに記憶された以前の情報を、インタフェース（１３０）を介して受け取られた現在の情報と比較し、記憶された以前の情報と受け取られた現在の情報とに基づいて、可動型装置（１００）に接続されている携帯型電子装置（２００）を、第１のメモリ（１２０）に記憶されている情報にアクセスさせるか否かを決定するデバイス、またはマイクロコントローラ（１１０）へのインストラクションを含んでいる。
【００３４】
一例として、受け取られた情報及び記憶された情報は、携帯型電子装置（２００）の識別子、例えば、移動式通信体のグローバルシステム（ＧＳＭ）スタンダードに基づいて動作するように、携帯電話で利用されている携帯型電子機器の識別子（ＩＭＥＩ）を含んでいる。
ＰＤＡ、携帯型パーソナルコンピュータ、ＧＰＳと関連して動作する携帯型ナビゲーション装置のような他の装置に予めプログラムされた他の種類の識別子においても、同様の識別子チェックが考えられうる。
【００３５】
本発明の好ましい実施例において、可動型装置（１００）は、使用状態を示すインジケータを含んでおり、それにより、ユーザは、一見しただけで、可動型装置（１００）がまだ有効であるか否かがわかる。
【００３６】
ある実施例においては、インジケータは、可動型装置（１００）の使用状態を、ユーザに視覚的及び永続的に表示する種類のメモリ構成を含んでいる。この表示は、カラーインジケータによりなされる。
このインジケータは、可動型装置（１００）が用いられていないことを緑または他の色で示し、電気パルスが入力されると、インタフェース（１３０）を介して装置から転送されるべきデータまたはプログラムがないことを、赤色、橙色、または黒色のような色でユーザに示す。
【００３７】
可動型装置（１００）の使用状態を示すために、可動型装置（１００）に部材を設ける代わりに、本発明のある実施例では、可動型装置（１００）は、携帯型電子装置（２００）のプロセッサにデータやインストラクションを転送し、携帯型電子装置（２００）に設けられたディスプレイのような表示手段を用い、ユーザに使用状態の情報を表示している。
このような使用状態の情報は、例えば、可動型装置（１００）のメモリ（１２０）に記憶され、インタフェース（１３０）を介して、携帯型電子装置（２００）へ転送可能なデータやプログラムのディレクトリを含んでいる。
【００３８】
本発明の好ましい実施例では、可動型装置（１００）により設けられた電子的なメモリの少なくとも一部は、携帯型電子装置（２００）により書き込みアクセスできるようになっている。そのため、携帯型電子装置（２００）は、後で読み出される情報を、可動型装置（１００）のメモリに記憶させることができる。
【００３９】
本発明のさらに他の実施例では、可動型装置（１００）は、インタフェース（１３０）の機械的インタフェースと作動的に関連するスタートスイッチ（１４０）を備えている。スタートスイッチ（１４０）は、可動型装置（１００）を携帯型電子装置（２００）のインタフェース（２１０）に物理的に接続することにより駆動される。
【００４０】
本発明のさらに他の特徴として、本発明の好ましい実施例では、時間計測装置、または時間情報を記憶するメモリが設けられている。それにより、データまたはプログラムへのアクセスを、特定の日にちや時間、特定の使用期間、または、可動型装置（１００）と携帯型電子装置（２００）との接続期間に許可または制限することができる。
【００４１】
本発明のさらに他の好ましい実施例では、可動型装置（１００）のマイクロコントローラ（１１０）は、携帯型電子装置（２００）から、インタフェース（１３０）を介して、すなわち、携帯型電子装置（２００）が現在登録されている携帯電話ネットワークのオペレータから得られる情報に基づいて、または、可動型装置（１００）が現在位置している地理的領域の情報に基づいて、メモリ（１２０）に記憶されたデータまたはプログラムへのアクセスを制限する。
【００４２】
本発明のさらに他の好適な特徴においては、可動型装置（１００）には、光周波数または無線周波数のようなワイヤレス型のインタフェース（１３０）、すなわち、ＩｒＤＡインタフェースまたはブルートゥースインタフェースが設けられている。携帯型電子装置（２００）とワイヤレスインタフェースを介して通信することにより、携帯型電子装置（２００）の動作がさらに簡略化されるとともに、本発明が、物理的にさらに強固かつ利便性のあるものとなる。
【００４３】
本発明のさらに他の好ましい実施例では、可動型装置（１００）のマイクロコントローラ（１１０）は、内部動作プログラムのインストラクションに基づいて、携帯型電子装置（２００）から、携帯型電子装置（２００）のユーザにより特定される言語のようなコンフィギュレーションデータを要求するようになっている。このような情報に基づいて、可動型装置（１００）は、適切なデータまたはプログラムを選択し、携帯型電子装置（２００）へ転送する。
【００４４】
本発明は、データまたはプログラムを、容易に、効率的に、かつ安全に、携帯型電子装置へ送る可動型装置及び方法を提供するものである。可動型装置（１００）は、データまたはプログラムが記憶されたメモリを備え、データまたはプログラムは、リモートサーバからデータまたはプログラムをダウンロードするように、または、可動型装置からデータまたはプログラムを連続してロードするために、キーまたはパスワード、または関連するアルゴリズムをダウンロードするように、携帯型電子装置によるリモートサーバへの接続を制御するインストラクションを含んでいる。
【図面の簡単な説明】
【００４５】
【図１】本発明による可動型装置の簡略化したブロック図である。
【図２】本発明による可動型装置から携帯型電子装置へ情報を転送する場合の開始、制御、及び完了の手順を示すフローチャートである。
【符号の説明】
【００４６】
１００      可動型装置
１１０      マイクロコントローラ
１２０      メモリ
１３０      インタフェース
１３１      受信ライン
１３２      送信ライン
１４０      スタートスイッチ
１５０      メモリ制御入力端子
１６０      オシレータ
１７０      モニタ端子
２００      携帯型電子装置
２１０      インタフェース
【図１】
2007518185.tif 000003
【図２】
2007518185.tif 000004
【国際調査報告】
2007518185.tif 000005
2007518185.tif 000006
2007518185.tif 000007